【手続補正書】
【提出日】平成15年9月1日(2003.9.1)
【手続補正１】
【補正対象書類名】明細書
【補正対象項目名】全文
【補正方法】変更
【補正の内容】
【発明の名称】昇降式収納装置
【特許請求の範囲】
【請求項１】収納キャビネットと、前記収納キャビネット内に設けた収納ラックと、前記収納ラックを昇降自在に支持する複数の回転アームと、前記回転アームを回転可能に支持する昇降支持装置と、前記収納ラックの最大降下位置を規制するストッパと、前記ストッパの位置を可変に設定するストッパ可変手段とを備えた昇降式収納装置。
【請求項２】ストッパは、衝撃吸収体を備えた請求項１記載の昇降式収納装置。
【請求項３】ストッパ可変手段は、その一端を当接する回転アームとともに同軸に昇降支持装置に枢支し、他端を前記昇降支持装置に締着し、前記締着位置を変えることにより最大降下位置を可変とした請求項１または請求項２のいずれか１項に記載の昇降式収納装置。
【請求項４】ストッパ可変手段は、設定可能な最大降下位置を複数段に備えた請求項１ないし請求項３のいずれか１項に記載の昇降式収納装置。
【請求項５】ストッパ可変手段は、使用者が収納キャビネットの前方から最大降下位置を設定できるようにした請求項１ないし請求項４のいずれか１項に記載の昇降式収納装置。
【請求項６】ストッパ可変手段は、最大降下位置の段数を表示した表示手段を備えた請求項１ないし請求項５のいずれか１項に記載の昇降式収納装置。
【発明の詳細な説明】
【０００１】
【発明の属する技術分野】
本発明は、キッチンなどで使用する昇降式収納装置に関する。
【０００２】
【従来の技術】
以下、従来の昇降式収納装置について図面を参照しながら説明する。図５は従来の昇降式収納装置の構成を示す斜視図である。図５に示したように、従来の昇降式収納装置は、収納キャビネット１と、収納キャビネット１内に設けた収納ラック２と、収納ラック２を昇降自在に支持する一対の第１回転アーム３と第２回転アーム４とを有する昇降支持装置５とで構成されていた。収納ラック２は、第１回転アーム３と第２回転アーム４の回動動作により昇降させることができ、収納ラック２を引き降ろすことにより、高所に設置された収納キャビネット１から収納ラック２を降下させて、収納物を低位置で出し入れすることができるようになっていた。なお、６は左右の第１回転アーム３と第２回転アーム４とが同期して回動するように第１回転アーム３の基部間を連結する連動連結軸である。
【０００３】
【発明が解決しようとする課題】
このような従来の昇降式収納装置では、第１回転アーム３と第２回転アーム４の長さ、回動角度などで決まる収納ラック２の降下ストロークが、一つの所定位置、すなわち収納ラック２を極力、低位置に引き降ろした状態に設定し固定されており、使用者ごとのキッチン空間に対応して可変することができなかった。そのため、昇降式収納装置の下方にあるキッチンカウンタ上に調理関連器具（とくに上方開放式の炊飯器、ジャーポットなど）やキッチン用品などが置かれている場合に、これらが降下する収納ラック２と干渉すると言う問題を有していた。
【０００４】
また、収納ラック２の最大降下位置を低く設定すると、平均的に対応できるが、逆に背の高い人にとっては、収納ラック２の下方側にある収納物の出し入れ作業が、中腰になって負担になると言う問題を有していた。
【０００５】
本発明は上記の課題を解決するもので、降下ストロークを使用者により可変設定できる昇降式収納装置を提供することを目的とする。
【０００６】
【課題を解決するための手段】
上記課題を解決するために本発明は、収納キャビネットと、前記収納キャビネット内に設けた収納ラックと、前記収納ラックを昇降自在に支持する複数の回転アームを有する昇降支持装置と、前記収納ラックの最大降下位置を可変するストッパ可変手段と、前記ストッパ可変手段に当着した衝撃吸収体とを備えた昇降式収納装置である。
【０００７】
本発明により、収納ラックの最大降下位置を可変するストッパ可変手段を備えることにより、使用者それぞれのキッチン空間や身長に対応して降下ストロークを可変設定でき、使い勝手の良い昇降式収納装置を提供することができる。また、ストッパ可変手段に当着した衝撃吸収体を備えることにより、収納ラックの降下停止時の衝撃音を低減することができ、衝撃吸収効果を向上させることができる。
【０００８】
【発明の実施の形態】
請求項１に係わる本発明において、収納キャビネットと、前記収納キャビネット内に設けた収納ラックと、前記収納ラックを昇降自在に支持する複数の回転アームを有する昇降支持装置と、前記収納ラックの最大降下位置を規制するストッパと、前記ストッパの位置を可変にするストッパ可変手段とを備えた構成とする。ストッパ可変手段は、収納ラックを降下させたときに収納ラックの最大降下位置を可変に規定する。これにより、使用者のキッチン空間や身長に対応して降下ストロークを可変設定を可能とし、使い勝手の良い昇降式収納装置を提供する。
【０００９】
請求項２に係わる本発明において、ストッパは衝撃吸収体を備えた構成とする。衝撃吸収体は収納ラックの降下停止時に衝撃音を低減し、衝撃吸収効果を向上させる。
【００１０】
請求項３に係わる本発明において、ストッパ可変手段の一端を当接する回転アームとともに同軸に昇降支持装置に枢支し、他端を前記昇降支持装置に締着する。当接する回転アームとともに同軸に枢支したストッパ可変手段は、その当接面を回転アームの回動に追随して可変設定でき、ストッパ可変手段の全面で回転アームの衝撃を吸収する。
【００１１】
請求項４に係わる本発明において、ストッパ可変手段による設定可能な最大降下位置を複数段に備える。請求項１の発明と同様の作用と効果が得られるが、さらに細かく使用者の実態に対応することができる。
【００１２】
請求項５に係わる本発明において、ストッパ可変手段による最大降下位置を収納キャビネットの前方から可変とし、使用者は、前方から容易に収納ラックの降下ストロークを可変設定することができる。
【００１３】
請求項６に係わる本発明において、ストッパ可変手段による設定可能な最大降下位置の段数位置を表示した表示手段を備え、使用者は、前記表示手段により左右の段数位置を容易に確認でき、左右段違いな設定を防止し、昇降式収納装置の信頼性を向上させる。
【００１４】
以下、本発明の実施例について説明する。
【００１５】
【実施例】
（実施例１）
以下、本発明の昇降式収納装置の一実施例について図面を参照しながら説明する。図１は本実施例の昇降式収納装置の収納ラックの降下状態を示す側断面図、図２はその詳細を示す部分側断面図、図３は同正面図、図４は収納ラックの最大降下位置を上側に設定したときの降下状態を示す側断面図である。なお、図５に示した従来例と同種の構成要素には同一符号を付与している。
【００１６】
図１ないし図４において、１はキッチンなどの壁面上方に設置された収納キャビネットであり、収納キャビネット１の内側の両側面には、前方に収納キャビネット１の底板７との接触を回避するために屈曲形状とした略Ｓの字形状の第１回転アーム３、後方に略くの字形状の第２回転アーム４が、同一平面上に平板形状で設置されるとともに、第１回転アーム３と第２回転アーム４とを枢支する昇降支持装置５が構成されている。２は常時は収納キャビネット１内に格納される収納ラックであり、底面を前面から背面部まで平面形状で構成する本体８と、本体８に連結する２つの側板９と、線材よりなる棚部１０とにより構成され、２つの側板９の間の下方にパイプなどで構成された昇降操作用のハンドル１１が配設される。
【００１７】
１２は昇降支持装置５に配設されゴム状の衝撃吸収体を備えたアームストッパであり、第２回転アーム４の回動角度、すなわち収納ラック２の格納位置を規制するように構成される。１３は第１回転アーム３とともに昇降支持装置５に枢支されたストッパ可変手段であり、枢支される金属部材１４と、金属部材１４のコの字断面の間に覆われて接着などにより当着したゴム状の衝撃吸収体１５とにより構成され、金属部材１４の一端は当接する第１回転アーム３と同軸に昇降支持装置５に枢支され、他端は昇降支持装置５に、たとえばビスなどで、締着される。
【００１８】
ストッパ可変手段１３は、第１回転アーム３の回動角度、すなわち収納ラック２の最大降下位置を規制するもので、金属部材１４を第１回転アーム３の当接面とし、収納ラック２の最大降下位置を複数段に設定できるように構成するとともに、その操作は収納ラック２を格納した状態で収納キャビネット１の前方からドライバなどで容易に可変設定できるように構成される。１６はストッパ可変手段１３による最大降下位置の段数位置を表示する表示手段であり、昇降支持装置５への刻印ないし印刷ラベルの貼付けなどにより構成されている。
【００１９】
なお、連動連結軸６は左右に対向する第１回転アーム３の基部間を連結し、左右の第１回転アーム３が同体回動するように構成される。また、昇降支持装置５に枢支された第１回転アーム３および第２回転アーム４の先端は、第２回転アーム４を収納ラック２の側板９の最上段後方近傍に、また第１回転アーム３をその前方にそれぞれ枢支することにより、四辺の平行リンク機構が構成され、収納ラック２は昇降自在に支持される。
【００２０】
上記構成における動作について説明する。収納ラック２の降下時は、使用者が昇降操作用のハンドル１１を持って収納ラック２を引き降ろすと、収納ラック２は第１回転アーム３と第２回転アーム４と昇降支持装置５とにより、図１に一点鎖線で示したように、円弧状に回動して、ストッパ可変手段１３により可変設定された最大降下位置に降下される。使用者が収納ラック２の最大降下位置で収納物を出し入れした後、収納ラック２の上昇格納時は、再度、ハンドル１１を持って収納ラック２を押し上げると、収納ラック２は降下時と同様に円弧状に回動して、収納キャビネット１内に格納される。
【００２１】
以上のように、収納ラック２の最大降下位置を可変するストッパ可変手段１３を備えることにより、使用者のキッチン空間や身長に対応して降下ストロークを可変設定でき、使い勝手の良い昇降式収納装置を提供することができる。
【００２２】
また、ストッパ可変手段１３に当着した衝撃吸収体１５を備えることにより、収納ラック２の降下停止時に衝撃音を低減することができ、衝撃吸収効果を向上させることができる。
【００２３】
また、ストッパ可変手段１３の衝撃吸収体１５を覆う金属部材１４を第１回転アーム３の当接面として、衝撃に対して損傷しやすい衝撃吸収体１５を金属部材１４により保護することができ、ストッパ可変手段１３の信頼性を向上させることができる。
【００２４】
また、ストッパ可変手段１３の一端を当接する第１回転アーム３とともに同軸に昇降支持装置５に枢支し、他端をビスなどにより昇降支持装置５に締着することにより、ストッパ可変手段１３の当接面を第１回転アーム３の回動に追随して可変設定することができ、ストッパ可変手段１３の全面で第１回転アーム３の衝撃を吸収することができる。
【００２５】
また、ストッパ可変手段１３による設定可能な最大降下位置を複数段に備え、さらに細かく使用者のキッチン空間などの実態に対応することができる。
【００２６】
また、ストッパ可変手段１３による最大降下位置を収納キャビネット１の前方から可変として、前方から容易に収納ラック２の降下ストロークを可変設定することができる。
【００２７】
また、ストッパ可変手段１３には最大降下位置の段数位置を表示した表示手段１６を備え、表示手段１６により左右の段数位置を容易に確認することができるため、左右の段違い設定を防止することができ、昇降式収納装置そのものの信頼性を向上させることができる。
【００２８】
【発明の効果】
以上の説明から明らかなように、本発明の昇降式収納装置によれば次の効果が得られる。
【００２９】
請求項１に係わる本発明の昇降式収納装置は、収納ラックの最大降下位置を可変設定できるストッパ可変手段と、前記ストッパ可変手段に当着した衝撃吸収体とを備えることにより、使用者それぞれのキッチン空間や身長に対応して降下ストロークを可変設定でき、使い勝手の良い昇降式収納装置を提供することができるとともに、収納ラックの降下停止時に衝撃音を低減して衝撃吸収効果を向上させることができる。
【００３０】
請求項２に係わる本発明の昇降式収納装置は、ストッパ可変手段の衝撃吸収体を覆う金属部材を回転アームの当接面とすることにより、衝撃で損傷しやすい衝撃吸収体を前記金属部材で保護することができ、ストッパ可変手段の信頼性を向上させることができる。
【００３１】
請求項３に係わる本発明の昇降式収納装置は、ストッパ可変手段の一端を当接する回転アームとともに同軸に昇降支持装置に枢支し、他端を昇降支持装置に締着していることにより、ストッパ可変手段の当接面を回転アームの回動に追随して可変設定することができ、ストッパ可変手段の全面で回転アームの衝撃を吸収することができる。
【００３２】
請求項４に係わる本発明の昇降式収納装置は、ストッパ可変手段による最大降下位置を複数段に備えることにより、さらに細かく使用者のキッチン空間などの実態に対応することができる。
【００３３】
請求項５に係わる本発明の昇降式収納装置は、ストッパ可変手段による最大降下位置を収納キャビネットの前方から設定可能としたことにより、使用者は前方から容易に収納ラックの降下ストロークを設定することができる。
【００３４】
請求項６に係わる本発明の昇降式収納装置は、ストッパ可変手段による最大降下位置の段数位置を表示した表示手段を備えることにより、左右の段数位置を容易に確認することができ、左右の回転アームで段違いに設定する事態を防止して、昇降式収納装置の信頼性を向上させることができる。
【図面の簡単な説明】
【図１】本発明の昇降式収納装置の一実施例における収納ラックの降下状態を示す側断面図
【図２】同実施例の詳細を示す部分側断面図
【図３】同実施例の詳細を示す部分正面図
【図４】同実施例における収納ラックの最大降下位置を上昇側に可変設定した状態を示す側断面図
【図５】従来の昇降式収納装置の構成を示す斜視図
【符号の説明】
１  収納キャビネット
２  収納ラック
３  第１回転アーム（回転アーム）
４  第２回転アーム（回転アーム）
５  昇降支持装置
６  連動連結軸
７  底板
８  本体
９  側板
１０  棚部
１１  ハンドル
１２  アームストッパ
１３  ストッパ可変手段
１４  金属部材
１５  衝撃吸収体
１６  表示手段